(57)【要約】【課題】電動工具の回転駆動力による回転運動を揺動運動に変換するカムを有するとともに、ソケットをより狭い凹所内にも差し込んで使用することが可能なナット締結工具を提供する。【解決手段】工具本体１０と、工具本体１０先端に回動自在に設けられたソケット５０と、工具本体１０内にクランク２０と、クランク２０によって揺動運動されるカム３０と、カム３０と係合して一方向に回転する第一ギア４１と、第一ギア４１と同軸上に固定されるとともに、第一ギア４１の回転と連動して回転する第二ギア４２と、第二ギア４２とソケット５０に設けられたソケットギア５１との間に噛合して回転を伝達するアイドルギア６０、６０と、を有することを特徴とする。【選択図】図１
0003208461.tif 000002
【実用新案登録請求の範囲】
【請求項１】
工具本体と、該工具本体先端に回動自在に設けられたソケットと、前記工具本体基端側から入力された回転駆動力を一方方向に前記ソケットを回転させる駆動力伝達機構と、を有するナット締結工具であって、
前記駆動力伝達機構は、回転駆動力によって回転するクランク軸と、該クランク軸の軸心から離れた位置に設けられたクランクアームと、該クランクアームと係合し、前記クランクアームの偏心旋回によって揺動運動されるカムと、該カムに形成されたラチェットと係合して一方方向に回転する第一ギアと、該第一ギアと同軸上に固定されるとともに、前記第一ギアの回転と連動して回転する第二ギアと、該第二ギアと前記ソケットに設けられたソケットギアとの間に噛合して回転を伝達するアイドルギアと、からなることを特徴とするナット締結工具。
【請求項２】
二段ギアの第二ギアと、アイドルギアと、ソケットギアと、を工具本体内の同一平面上に噛合して配置することを特徴とする請求項１記載のナット締結工具。
【考案の詳細な説明】
【技術分野】
【０００１】
本考案は、インパクトドライバーや電動ドリルのように回転駆動をする手持ち式電動工具に取り付けて駆動するナット締結工具に関する。
【背景技術】
【０００２】
従来、ボルト頭やナットを締め付けるレンチは、レンチの先端部に形成した爪にボルト頭ないしナットを嵌合させて、ボルト軸と直交する平面において、ハンドルを回動させて締め付けるのが一般的である。しかしながら、レンチのハンドルを大きく回動させてナットを締め付けることができない場所及び締結完了時にボルトが邪魔をしてレンチが外せない場所などの狭い凹所でボルト頭やナットを締め付けることが困難であった。
【０００３】
そこで、上記欠点を解決するために、本出願人は、狭い凹所内にあるナットやボルト頭を、電動工具を用いて容易に締め付けることが可能な電動工具で駆動するレンチの発明を開示した（特許文献１参照）。特許文献１記載の発明によれば、クランク軸を工具本体基端から工具本体先端方向に設けることで、レンチの差し込み方向と電動工具の入力する方向とが一致するとともに、電動工具の回転駆動力をレンチの基端側から入力することができるため、レンチの差し込み方向のみ開口している狭い凹所での作業に適したものである。
【先行技術文献】
【特許文献】
【０００４】
【特許文献１】特開２０１２−１８３５９４号公報
【考案の概要】
【考案が解決しようとする課題】
【０００５】
しかしながら、上記特許文献１に記載の発明は、カム１１の揺動方向に対して垂直方向の運動を抑制するためレンチにしっかりとした厚みを要するソケット保持部９を必要とし、このソケット保持部９が邪魔をして凹所３より狭い凹所に差し込むことを困難にする恐れがあった。したがって、電動工具の回転駆動力による回転運動を揺動運動に変換するカムを有するとともに、ソケット（ソケット保持部を含む）より狭い凹所内にも差し込んで使用することが可能なナット締結工具を提供することを目的とする。
【課題を解決するための手段】
【０００６】
本考案は、上記課題に鑑み、工具本体と、該工具本体先端に回動自在に設けられたソケットと、前記工具本体基端側から入力された回転駆動力を一方方向に前記ソケットを回転させる駆動力伝達機構と、を有するナット締結工具であって、前記駆動力伝達機構は、回転駆動力によって回転するクランク軸と、該クランク軸の軸心から離れた位置に設けられたクランクアームと、該クランクアームと係合し、前記クランクアームの偏心旋回によって揺動運動されるカムと、該カムに形成されたラチェットと係合して一方方向に回転する第一ギアと、該第一ギアと同軸上に固定されるとともに、前記第一ギアの回転と連動して回転する第二ギアと、該第二ギアと前記ソケットに設けられたソケットギアとの間に噛合して回転を伝達するアイドルギアと、からなることを特徴とする。
【０００７】
また、上述した構成に加え、二段ギアの第二ギアと、アイドルギアと、ソケットギアと、を工具本体内の同一平面上に噛合して配置することが好ましい。
【考案の効果】
【０００８】
請求項１、２記載の考案によれば、ソケットを工具本体中央より工具本体先端方向に延伸した位置に配設することで、カムを収容する工具本体中央に比べて、ソケットを備える工具本体先端のソケット保持部をより厚みを薄くするように形成することができ、より狭い凹所にソケットを差し込んでナット又はボルト頭を締め付けることが可能である。
【図面の簡単な説明】
【０００９】
【図１】本考案の実施形態に係るナット締結工具の一例であり、工具本体に収容される駆動力伝達機構を示す(a)透過平面図、及び、(b)透過底面図である。
【図２】図１のナット締結工具の中央縦断面図である。
【図３】図１の駆動力伝達機構を構成するクランクとカムと二段ギアとを示す分解斜視図である。
【図４】ナットを締め付ける際のナット締結工具の使用状態を示す概念図であり、(a)ナットにソケットを取付けた状態、(b)ソケットが回転してナットを締め付ける状態、(c)ソケットが回転せずにカムが揺動している状態、である。
【考案を実施するための形態】
【００１０】
本考案に係るナット締結工具の一例について図面に基づいて詳細に説明する。
【００１１】
ナット締結工具は、図１、２、３に示すように、工具本体１０と、工具本体１０先端に回動自在に設けられたソケット５０と、工具本体１０基端側より外部入力された回転駆動力を一方方向のみにソケット５０を回転させる駆動力伝達機構（回転運動−揺動変換手段、揺動−回転運動変換手段、回転運動伝達手段）と、を主要部として構成されている。
【００１２】
工具本体１０は、工具本体１０先端にソケット５０を回動自在に保持するソケット保持部１１と、工具本体１０中央にクランク軸２１の回転運動を揺動運動にするカム３０及びカム３０の揺動運動を一方方向の回転運動にする二段ギア４０を収容する収容部１２と、工具本体１０基端側にクランク軸２１の入力部２３が露出した状態でクランク軸２１を回動自在に保持するクランク軸保持部１３と、が形成されている。
【００１３】
クランク２０は、クランク軸保持部１３に軸支され、工具本体１０基端側から工具本体１０中央の方向に沿った軸心を有するクランク軸２１と、クランク軸２１の先端に円板部を設け、この円板部のクランク軸２１の軸心から離れた偏心位置に突出して配置されたクランクアーム２２と、からなり、クランク軸２１の基端部は、工具本体１０基端側にインパクトドライバーのように回転駆動をする電動工具のボックスに嵌合する六角軸の入力部２３を有する。また、クランクアーム２２を後述するカム３０の基端部に穿設された貫通孔３１と連結させるために、貫通孔３１の直径以下で一部面を切欠いた略球状の連結球２４を、クランクアーム２２に回動自在に装着して後述するカム３０の基端部に係合させている。
【００１４】
カム３０は、工具本体１０中央の収容部１２に収容され、カム３０の基端部に上面から下面まで円柱状に貫通して穿設された貫通孔３１が形成されている。この貫通孔３１に連結球２４を遊嵌合させることで、常に前方に突出しているクランクアーム２２の回転運動とカム３０の揺動運動による角度変化を連結球２４と貫通孔３１の回転で吸収し、クランクアーム２２を円滑に回転運動するとともに、カム３０の係合孔３２（あるいは係合孔３２に係合した第一ギア４１）の中心を支点とするカム３０の揺動運動に変換することができるようにしている（回転運動−揺動変換手段）。
【００１５】
さらに、このカム３０は、カム３０の中央付近に二段ギア４０の第一ギア４１と係合する円形の係合孔３２及びその側面の凹所に設けられた第一ギア４１と噛合するラチェット３３、３３が形成され、ラチェット３３、３３によってカム３０の揺動運動を一方方向のみに二段ギア４０の回転運動に変換することができるようにしている（揺動−回転運動変換手段）。
【００１６】
ラチェット３３、３３は、カム３０の係合孔３２に形成した凹所内にラチェット爪３４を配置し、このラチェット爪３４を二段ギア４０の第一ギア４１に向けてバネで付勢する構造としている。このラチェット爪３４は、凹所内において第一ギア４１の周方向に僅かに移動可能であるとともに、バネで断面略二等辺三角形の山型として第一ギア４１に押し付けるようにしている。これにより、第一ギア４１とラチェット爪３４を係合させる方向に回転させる場合は、ラチェット爪３４が第一ギア４１を受け止める位置に確実に噛合する。また、過大な負荷が二段ギア４０に作用したときにラチェット爪３４と第一ギア４１とが外れることで、カム３０のみが揺動するようにして安全を確保するものである。また、このラチェット３３を２箇所に設けることで、カム３０の揺動運動を二段ギア４０の一方方向の回転運動に安定して変換することができる（図３参照）。
【００１７】
二段ギア４０は、図２及び図３に示すように、第一ギア４１と、第一ギア４１の下方に同軸上に固定された第一ギア４１の回転と連動して回転する第二ギア４２と、から一体形成されている。この第二ギア４２と、ソケット５０の外周面の全周に形成されたソケットギア５１と、第二ギア４２とソケットギア５１の間に配置し、第二ギアとソケットギアと噛合するアイドルギア６０、６０と、を工具本体１０内の同一平面上に噛合して配置することで、二段ギア４０の回転運動をソケット５０に伝達するようにしている。（回転運動伝達手段）。したがって、ソケット５０は工具本体１０中央に収容されるカム３０よりも工具本体１０先端側にクランク軸２１の軸心よりも一段下がって配設される。なお、この二段ギア４０の回転軸中心付近は貫通孔４３を有している。  
【００１８】
また、このアイドルギア６０、６０は、一部開口しているソケットギア５１（あるいはソケット５０）と噛合する場合には、少なくとも２つ以上のアイドルギア６０、６０を第二ギア４２とソケットギア５１との間に噛合して設けることが好ましい。
【００１９】
また、このソケット５０は、工具本体１０先端のソケット保持部１１に回動自在に備えられ、ナットNに嵌合する四角孔を穿設するとともに、一部を切除して開口部を形成している。
【００２０】
上述した本実施形態の使用状態を図４(a)、(b)、(c)に示すように、クランク２０の回転運動を回転する面に対して垂直方向のカム３０の揺動運動に変換する回転運動−揺動変換手段と、カム３０の揺動運動を一方方向のみの二段ギア４０の回転運動に変換する揺動−回転運動変換手段と、二段ギア４０の回転運動をソケット５０に伝達する回転運動伝達手段と、とからなる駆動力伝達機構が構成される。この駆動力伝達機構によって、電動工具による外部から入力された回転駆動力を、工具本体１０先端に設けられたソケット５０を一方方向のみに回転運動させることで、ナットNを締め付けることができる。
【００２１】
したがって、クランク軸２１を工具本体１０基端から工具本体１０先端方向に設けることで、ナット締結工具の凹所への差し込み方向と、電動工具をクランク２０の入力部２３へ入力する方向と、が一致するとともに、電動工具の回転駆動力を工具本体１０基端から入力することができるため、ソケット５０の差し込み方向のみ開口している狭い凹所での作業に適したナット締結工具を提供することが可能である。また、ソケット５０を工具本体１０中央より工具本体１０先端方向に延伸した位置に配設することで、カム３０を収容する工具本体１０中央の収容部１２の厚みに比べて、ソケット５０を備える工具本体１０先端のソケット保持部１１の厚みを薄くするように形成することができる（図２参照）。そのため、より狭い凹所にソケット保持部１１とソケット５０を差し込んでナットNを締め付けることが可能である。
【符号の説明】
【００２２】
１０…工具本体、１１…ソケット保持部、１２…収容部、１３…クランク軸保持部、２０…クランク、２１…クランク軸、２２…クランクアーム、２３…入力部、２４…連結球、３０…カム、３１…貫通孔、３２…係合孔、３３…ラチェット、３４…ラチェット爪、４０…二段ギア、４１…第一ギア、４２…第二ギア、４３…貫通孔、５０…ソケット、５１…ソケットギア、６０…アイドルギア、N…ナット
【図１】
0003208461.tif 000003
【図２】
0003208461.tif 000004
【図３】
0003208461.tif 000005
【図４】
0003208461.tif 000006